(57)【要約】  【課題】  ２つのスラット群を有し、それぞれのスラット群の角度を異なるようにすることができると共に、それらのスラット群を回転させる構成をコンパクトにすることができるブラインドを提供する。  【解決手段】  ブラインド１０は、上下に整列状態で支持されるスラット群が、上側に配置される上側スラット群１６Ａと下側に配置される下側スラット群１６Ｂとから構成され、上側スラット群１６Ａを支持する上側ラダーコード１４と、下側スラット群１６Ｂを支持する下側ラダーコード１５とを有する。上側ラダーコード１４と下側ラダーコード１５のそれぞれの上端を共通の巻取ドラム２４に固定し、巻取ドラム２４の回転に応じて、一方のラダーコードの前後の垂直コードが相対変位するときに、他方のラダーコードの前後の垂直コードは相対変位せず、他方のラダーコードの前後の垂直コードが相対変位するときに、一方のラダーコードの前後の垂直コードは相対変位しないように構成する。【選択図】  図４
2006104844.tif 000002
【特許請求の範囲】
【請求項１】
上下に整列状態で支持されるスラット群が、上側に配置される上側スラット群（１６Ａ）と下側に配置される下側スラット群（１６Ｂ）とから構成され、上側スラット群（１６Ａ）を支持する上側ラダーコード（１４）と、下側スラット群（１６Ｂ）を支持する下側ラダーコード（１５）とを有するブラインドにおいて、
前記上側ラダーコード（１４）と下側ラダーコード（１５）のそれぞれの上端が共通の巻取ドラム（２４）に固定され、
巻取ドラム（２４）の回転に応じて、一方のラダーコードの前後の垂直コードが相対変位するときに、他方のラダーコードの前後の垂直コードは相対変位せず、他方のラダーコードの前後の垂直コードが相対変位するときに、一方のラダーコードの前後の垂直コードは相対変位しないように構成することを特徴とするブラインド。
【請求項２】
各ラダーコード（１４、１５）を構成する前後の垂直コード(１４ａ、１４ｂ、１５ａ、１５ｂ)のうち一方の垂直コード(１４ａ、１５ｂ)の上部が二股状に形成され、二股状になったコード(１４ａ１、１４ａ２、１５ｂ１、１５ｂ２)は巻取ドラム（２４）に対して前後から巻きかけるようにして固定され、上側ラダーコード（１４）と下側ラダーコード（１５）とでは、前後において異なる側の垂直コードが二股状に形成されることを特徴とする請求項１記載のブラインド。
【発明の詳細な説明】
【技術分野】
【０００１】
本発明は、上下に整列状態で支持されるスラット群が上側に配置される上側スラット群と下側に配置される下側スラット群とから構成され、上側スラット群を支持する上側ラダーコードと、下側スラット群を支持する下側ラダーコードとを有するブラインドに関する。
【背景技術】
【０００２】
従来、この種のブランドとしては、特許文献１（実公昭６２−３５１７号公報）に記載されたものが知られている。この公報に記載のブラインドでは、上函内に回転自在に第１及び第２の回転軸と、各回転軸の各々に取り付けられた第１及び第２の傾動ドラムと、上函と中函との間にあって第１スラット傾動索操作紐により操作される第１のスラット傾動索により吊下げられる第１のスラット群と、中函と下函との間にあって第２のスラット傾動索操作紐により操作される第２のスラット傾動索により吊下げられる第２のスラット群と、からなり、第１及び第２のスラット群を個々に角度変化させるものである。
【０００３】
このようなブラインドでは、上側の第１のスラット群と下側の第２のスラット群との角度を別々の角度となるように回転することができるため、１つのブラインドで遮光と採光を群毎に別々に行なうことも可能になる。
【０００４】
【特許文献１】実公昭６２−３５１７号公報
【発明の開示】
【発明が解決しようとする課題】
【０００５】
しかしながら、上記ブラインドでは、各スラット群に対応した回転軸及び傾動ドラムをそれぞれ上函内に配置する必要があるために、上函が大型化せざるを得ないという問題がある。
【０００６】
本発明はかかる課題に鑑みなされたもので、２つのスラット群を有し、それぞれのスラット群の角度を異なるようにすることができると共に、それらのスラット群を回転させる構成をコンパクトにすることができるブラインドを提供することをその目的とする。
【課題を解決するための手段】
【０００７】
前述した目的を達成するために、請求項１記載の発明は、上下に整列状態で支持されるスラット群が、上側に配置される上側スラット群と下側に配置される下側スラット群とから構成され、上側スラット群を支持する上側ラダーコードと、下側スラット群を支持する下側ラダーコードとを有するブラインドにおいて、
前記上側ラダーコードと下側ラダーコードのそれぞれの上端が共通の巻取ドラムに固定され、
巻取ドラムの回転に応じて、一方のラダーコードの前後の垂直コードが相対変位するときに、他方のラダーコードの前後の垂直コードは相対変位せず、他方のラダーコードの前後の垂直コードが相対変位するときに、一方のラダーコードの前後の垂直コードは相対変位しないように構成することを特徴とする。
【０００８】
請求項２記載の発明は、各ラダーコードを構成する前後の垂直コードのうち一方の垂直コードの上部が二股状に形成され、二股状になったコードは巻取ドラムに対して前後から巻きかけるようにして固定され、上側ラダーコードと下側ラダーコードとでは、前後において異なる側の垂直コードが二股状に形成されることを特徴とする。
【発明の効果】
【０００９】
本発明によれば、巻取ドラムの回転に応じて、一方のラダーコードの前後の垂直コードが相対変位するときに、他方のラダーコードの前後の垂直コードは相対変位しないために、一方のラダーコードに支持されるスラット群は回転し、他方のラダーコードに支持されるスラット群はその回転角度を維持する。また、他方のラダーコードの前後の垂直コードが相対変位するときに、一方のラダーコードの前後の垂直コードは相対変位しないために、他方のラダーコードに支持されるスラット群は回転し、一方のラダーコードに支持されるスラット群はその回転角度を維持する。以上の動作により、１つの巻取ドラムの回転動作に対して、上側スラット群と下側スラット群とに異なる開閉動作を行なわせることができるようになり、こうして、上側スラット群と下側スラット群とを、選択的に異なる回転角度または同じ回転角度にすることができるようになる。巻取ドラムを上側スラット群と下側スラット群とで共通に使用することができて、別々のドラムを設ける必要がないために、コンパクトに構成することができる。
【００１０】
請求項２記載の発明によれば、巻取ドラムがある一方向に回転すると、前側から巻きかけられた垂直コードが下降し、後側から巻きかけられた垂直コードが上昇するが、二股状になった垂直コードに関しては、二股状のコードの一方が上昇し他方が下降しようとするために、下降しようとするコードは弛み、上昇しようとするコードによって全体としては上昇する。つまり、後側の垂直コードが二股状になっているラダーコードにおいては、前後の垂直コードに相対変位が発生するものの、前側の垂直コードが二股状になっているラダーコードにおいては、前後の垂直コード共に上昇して相対変位が発生しない。
【００１１】
同様に、巻取ドラムが反対方向に回転すると、後側から巻きかけられた垂直コードが下降し、前側から巻きかけられた垂直コードが上昇するが、二股状になった垂直コードに関しては、二股状のコードの一方が上昇し他方が下降しようとするために、下降しようとするコードは弛み、上昇しようとするコードによって全体としては上昇する。つまり、前側の垂直コードが二股状になっているラダーコードにおいては、前後の垂直コードに相対変位が発生するものの、後側の垂直コードが二股状になっているラダーコードにおいては、前後の垂直コード共に上昇して相対変位が発生しない。
【００１２】
こうして、簡単な構成によって、一方のラダーコードの前後の垂直コードが相対変位するときに、他方のラダーコードの前後の垂直コードが相対変位しないように、することができる。
【発明を実施するための最良の形態】
【００１３】
以下、図面を用いて本発明の実施の形態を説明する。
【００１４】
図１は本発明によるブラインドの全体図を表す図である。
【００１５】
図において、本発明の実施形態にかかるブラインドの正面図である。図において、ブラインド１０は、壁面、窓枠等の固定部にブラケットによって取り付けられるヘッドボックス１２を有している。
【００１６】
ヘッドボックス１２からは、幅方向に間隔を置いて複数のラダーコードが垂下される。ラダーコードは、図２に示したように、それぞれ幅方向のほぼ同じ位置で垂下される２種類の上側ラダーコード１４と下側ラダーコード１５からなる。上側ラダーコード１４は、前後において垂直に伸びる垂直コード１４ａ、１４ｂと、前後の垂直コード１４ａ、１４ｂを連結する多数の中段コード１４ｃから構成され、同様に、下側ラダーコード１５は、前後において垂直に伸びる垂直コード１５ａ、１５ｂと、前後の垂直コード１５ａ、１５ｂを連結する多数の中段コード１５ｃから構成される。
【００１７】
但し、上側ラダーコード１４は、ヘッドボックス１２から垂下する垂直コード１４ａの長さがヘッドボックス１２からブラインド１０の高さ方向の途中位置までの長さとなっており、下側ラダーコード１５は、垂直コード１５ａの下部にのみ中段コード１５ｃが設けられている。
【００１８】
そして、上側ラダーコード１４の中段コード１４ｃにはスラット１６が整列状態に支持されて上側スラット群１６Ａを構成しており、下側ラダーコード１５の中段コード１５ｃにはスラット１６が整列状態に支持されて下側スラット群１６Ｂを構成している。
【００１９】
下側ラダーコード１５の前後の垂直コード１５ａの下端は、下側スラット群１６Ｂの下端に配置されるボトムレール１８に連結される。
【００２０】
上側ラダーコード１４及び下側ラダーコード１５のそれぞれの２本の垂直コード１４ａ、１４ｂ、１５ａ、１５ｂの上部は、ヘッドボックス１２内に導入されて、傾斜調節装置２０の巻取ドラム２４に連結される。
【００２１】
傾斜調節装置２０は、ヘッドボックス１２内においてその長手方向に沿って配設されて回転可能に軸支された回転シャフト２２と、回転シャフト２２と一体回転可能な巻取ドラム２４と、巻取ドラム２４を回転させる手動または電動の操作部と、から構成される。図１に示した例は、電動の例であり、巻取ドラム２４を回転させるモータ２６及びモータ２６を制御する駆動ユニット２８を備えている。駆動ユニット２８への指令は、手元のコントローラ、リモートコントローラ、または図示しない信号線によって接続された中央制御による中央制御装置から行われる。ブラインド１０が手動である場合には、ブラインド１０に、回転シャフト２２に回転を伝達可能な操作部を備えるとよい。
【００２２】
回転シャフト２２の回転は、図示しないクラッチ機構を介して巻取ドラム２４に伝達するようになっている。そして、ラダーコード１４、１５の前後の垂直コード１４ａ、１４ｂ、１５ａ、１５ｂは、それぞれ巻取ドラム２４の回転に伴って、それらの間に上下方向の相対変位が発生し、それによって中段コード１４ｃ、１５ｃの角度が変化して、スラット１６が回転するようになっている。中段コード１４ｃ、１５ｃの傾斜角度には限界があるため、この巻取ドラム２４と回転シャフト２２との間には、クラッチバネによるクラッチ機構が設けられており、クラッチバネは、所定の範囲で回転シャフト２２の回転を巻取ドラム２４に伝達する以外は、回転を巻取ドラム２４に伝達しない。
【００２３】
図３に示したように、上側ラダーコード１４及び下側ラダーコード１５のそれぞれの２本の垂直コード１４ａ、１４ｂ、１５ａ、１５ｂのうちの一方の上部は、二股状に分かれており、合計３本となってヘッドボックス１２内に導入されて、傾斜調節装置２０の巻取ドラム２４に連結される。即ち、上側ラダーコード１４の場合には、前後にある垂直コード１４ａ、１４ｂのうちで前側にある垂直コード１４ａの上部が二股状となった二股コード１４ａ１、１４ａ２となっているのに対して、下側ラダーコード１５の場合には、前後にある垂直コード１５ａ、１５ｂのうちで後側にある垂直コード１５ｂの上部が二股状となった二股コード１５ｂ１、１５ｂ２となっている。このように二股状となる垂直コードは、上側ラダーコード１４と下側ラダーコード１５とでそれぞれ前後が異なっており、従って、上側ラダーコード１４の後側にある垂直コード１４ｂが二股コードを構成する場合には、下側ラダーコード１５の前側にある垂直コード１５ａが二股コードを構成する。
【００２４】
前記上側ラダーコード１４の前後の垂直コード１４ａ、１４ｂの上端は、前側の二股コードの一方１４ａ１が、巻取ドラム２４の前側から巻かけられており、前側の二股コードの他方１４ａ２と後側の垂直コード１４ｂが巻取ドラム２４の後側から巻かけられて、これら３本のコードは巻取ドラム２４の上端で固定される。
【００２５】
また、下側ラダーコード１５の前後の垂直コード１５ａ、１５ｂの上端は、後側の二股コードの一方１５ｂ２が、巻取ドラム２４の後側から巻かけられており、後側の二股コードの他方１５ｂ１と前側の垂直コード１５ａが巻取ドラム２４の前側から巻かけられて、これら３本のコードは巻取ドラム２４の上端で固定される。
【００２６】
上側ラダーコード１４及び下側ラダーコード１５のそれぞれの上端は、巻取ドラム２４の固定点２４ａで共通に固定されている。
【００２７】
また、ヘッドボックス１２からは、幅方向に間隔を置いて複数の昇降コード３０が垂下される。昇降コード３０は、各スラット１６に設けられた挿通孔または挿通切欠を挿通しており、昇降コード３０の一端はボトムレール１８に連結され、各昇降コード３０の他端は、ヘッドボックス１２内に導入されて、昇降調節装置３２の昇降ドラム３４に連結される。昇降調整装置３２は、前記回転シャフト２２と昇降ドラム３４によって構成され、昇降ドラム３２は、回転シャフト２２と一体的に回転するようになっている。回転シャフト２２が回転することによって、昇降コード３０は昇降ドラム３４に巻取られ、または巻解かれて、スラット１６が昇降する。
【００２８】
以上のように構成されるブラインドにおいて、上側スラット群１６Ａと下側スラット群１６Ｂのそれぞれの角度の調整について説明する。
【００２９】
まず、図４（ｃ）に示したように、それぞれのラダーコード１４、１５の二股コード１４ａ１、１４ａ２、１５ｂ１、１５ｂ２の弛みが無い状態においては、図示したように、上側のラダーコード１４の中段コード１４ｃは水平に、下側のラダーコード１５の中段コード１５ｃは垂直になっており、従って、上側スラット群１６Ａは全開に、下側スラット群１６Ｂは全閉となっている。この状態では、ブラインドが設定された窓の上側から光を採り入れると共に、直射の影響を受けやすいブラインドが設定された窓の下側からの直射は遮ることができる状態となっている。
【００３０】
図４（ｃ）の状態から、回転シャフト２２を回転させて、巻取ドラム２４を一方向に回転させて、固定点２４ａが前側になるようにすると、巻取ドラム２４に対して後側から巻かけられたコードが上昇し、前側から巻かけられたコードが下降する。即ち、上側のラダーコード１４については、後側にある垂直コード１４ｂが上昇し、二股コード１４ａ１、１４ａ２のうち二股コード１４ａ２が上昇し、二股コード１４ａ１は下降するのであるが、二股コード１４ａ２が上昇しているために、真っ直ぐ下降せずに弛む。従って、上側のラダーコード１４は、前側の垂直コード１４ａ及び後側の垂直コード１４ｂのいずれも上昇し、全体的に上へと平行移動するために、中段コード１４ｃは水平を維持し、上側スラット群１６Ａは全開を維持する（図４（ｂ））。
【００３１】
一方、下側のラダーコード１５については、前側にある垂直コード１５ａは下降し、二股コード１５ｂ１、１５ｂ２のうち二股コード１５ｂ２が上昇し、二股コード１５ｂ１が下降するのであるが、二股コード１５ｂ２が上昇しているために、真っ直ぐ下降せずに弛む。従って、下側のラダーコード１５は、前側にある垂直コード１５ａが下降し、後側の垂直コード１５ｂが上昇し、前後で相対移動が発生するために中段コード１５ｃは、垂直から水平へと回転する。これに応じて、下側スラット群１６Ｂは、全閉から全開へ向かって、開いていく（図４（ｂ））。
【００３２】
図４（ａ）に示す状態は、上側スラット群１６Ａと共に、下側のラダーコード１５の中段コード１５ｃが水平となって、下側スラット群１６Ｂが全開となった状態を表している。この状態では、ブラインドが設定された窓の全面から光を採り入れることができる。
【００３３】
図４（ｃ）の状態から、回転シャフト２２を回転させて、巻取ドラム２４を前記一方向と反対方向に回転させて、固定点２４ａが後側になるようにすると、巻取ドラム２４に対して前側から巻かけられたコードが上昇し、後側から巻かけられたコードが下降する。即ち、上側のラダーコード１４については、二股コード１４ａ１、１４ａ２のうち二股コード１４ａ１が上昇し、二股コード１４ａ２は下降するのであるが、二股コード１４ａ１が上昇しているために、真っ直ぐ下降せずに弛み、後側にある垂直コード１４ｂが下降する。従って、上側のラダーコード１４は、前側にある垂直コード１４ａが上昇し、後側の垂直コード１４ｂが下降し、前後で相対移動が発生するために中段コード１４ｃは、水平から傾く。これに応じて、上側スラット群１６Ａは、全開から全閉へ向かって、閉じていく（図４（ｄ））。
【００３４】
一方、下側のラダーコード１５については、前側にある垂直コード１５ａは上昇し、二股コード１５ｂ１、１５ｂ２のうち二股コード１５ｂ１が上昇し、二股コード１５ｂ２が下降するのであるが、二股コード１５ｂ１が上昇しているために、真っ直ぐ下降せずに弛む。従って、下側のラダーコード１５は、前側の垂直コード１５ａ及び後側の垂直コード１５ｂのいずれも上昇し、全体的に上へと平行移動するために、中段コード１５ｃは垂直を維持し、下側スラット群１６Ｂは全閉を維持する（図４（ｄ））。
【００３５】
図４（ｅ）に示す状態は、下側スラット群１６Ｂと共に、上側のラダーコード１４の中段コード１４ｃが垂直となって、上側スラット群１６Ａが全閉となった状態を表している。この状態では、ブラインドが設定された窓を全面的に遮蔽することができる。
【００３６】
このようにして、１種類の巻取ドラム２４を回転させ、その方向に応じて、上下のスラット群１６Ａ、１６Ｂが、共に全開、共に全閉、及び一方が全開で他方が全閉といった、様々な状態を実現することができ、また、その中間状態も実現することができる。
【００３７】
図４に示した実施形態では、図４（ｃ）に示した上側スラット群１６Ａが全開、下側スラット群１６Ｂが全閉となった状態を中心として、巻取ドラム２４がいずれの方向にも同じ角度だけ回転することができ、図４（ｃ）に示した状態が、巻取ドラム２４の中心角度位置となっていたが、これに限るものではない。
【００３８】
例えば、図５に示すように、図５（ｂ）の中心角度位置において、上側スラット群１６Ａが全閉、下側スラット群１６Ｂが全開となっていてもよく、この状態から巻取ドラム２４の回転によって、上側スラット群１６Ａ及び下側スラット群１６Ｂが共に全閉の状態（図５（ａ））、上側スラット群１６Ａ及び下側スラット群１６Ｂが共に全開の状態（図５（ｃ））及びその中間状態に変化させることもできる。
【００３９】
または図６に示すように、図６（ｂ）の中心角度位置において、上側スラット群１６Ａ及び下側スラット群１６Ｂが共に全閉の状態から、巻取ドラム２４の回転によって、上側スラット群１６Ａが全閉、下側スラット群１６Ｂが全開の状態（図６（ａ））、上側スラット群１６Ａが全開、下側スラット群１６Ｂが全閉の状態（図６（ｃ））及びその中間状態に変化させることもできる。
【００４０】
または図７に示すように、図７（ｂ）の中心角度位置において、上側スラット群１６Ａ及び下側スラット群１６Ｂが共に全開の状態から、巻取ドラム２４の回転によって、上側スラット群１６Ａが全開、下側スラット群１６Ｂが全閉の状態（図７（ａ））、上側スラット群１６Ａが全閉、下側スラット群１６Ｂが全開の状態（図７（ｃ））及びその中間状態に変化させることもできる。
【００４１】
尚、図（図３を除く）では、分かりやすくするために、上側ラダーコード１４を破線、下側ラダーコード１５を実線で表して区別している。
【００４２】
このように共通の巻取ドラム２４の回転で上側スラット群１６Ａと下側スラット群１６Ｂの様々な状態を実現することができるために、部品点数を少なくコンパクトに構成することができる。
【図面の簡単な説明】
【００４３】
【図１】（ａ）は本発明による実施形態にかかるブラインドの正面図、（ｂ）は側面図である。
【図２】上側ラダーコード及び下側ラダーコード並びにスラットを表すブラインドの一部の斜視図である。
【図３】ヘッドボックス付近の拡大断面図である。
【図４】巻取ドラムの回転に応じたブラインドの動作を表すブラインドの部分断面図である。
【図５】別の実施形態に係る巻取ドラムの回転に応じたブラインドの動作を表すブラインドの部分断面図である。
【図６】別の実施形態に係る巻取ドラムの回転に応じたブラインドの動作を表すブラインドの部分断面図である。
【図７】別の実施形態に係る巻取ドラムの回転に応じたブラインドの動作を表すブラインドの部分断面図である。
【符号の説明】
【００４４】
１０  ブラインド
１４  上側ラダーコード
１４ａ  前側の垂直コード
１４ａ１  二股コード
１４ａ２  二股コード
１４ｂ  後側の垂直コード
１５  下側ラダーコード
１５ａ  前側の垂直コード
１５ｂ  後側の垂直コード
１５ｂ１  二股コード
１５ｂ２  二股コード
１６Ａ  上側スラット群
１６Ｂ  下側スラット群
２４  巻取ドラム
【図１】
2006104844.tif 000003
【図２】
2006104844.tif 000004
【図３】
2006104844.tif 000005
【図４】
2006104844.tif 000006
【図５】
2006104844.tif 000007
【図６】
2006104844.tif 000008
【図７】
2006104844.tif 000009